(57)【要約】【課題】  紙葉類の効率的な利用を促すことができる紙幣結束整理装置を提供する。【解決手段】  本発明は紙葉類を処理する紙葉類処理装置に関する。そして本発明の紙葉類処理装置は、紙葉類を集積する複数の集積部を備える集積手段と、少なくとも紙葉類の種類、及び、折れ部分が形成された折れ紙葉類に該当するか否かを認識する認識手段と、記認識手段により認識処理が行われた紙葉類を、その認識結果に応じた集積部に供給する紙葉類供給手段とを有することを特徴とする。【選択図】      図１
2014215623.tif 000002
【特許請求の範囲】
【請求項１】
紙葉類を集積する複数の集積部を備える集積手段と、
少なくとも紙葉類の種類、及び、折れ部分が形成された折れ紙葉類に該当するか否かを認識する認識手段と、
上記認識手段により認識処理が行われた紙葉類を、その認識結果に応じた集積部に供給する紙葉類供給手段と
を有することを特徴とする紙葉類処理装置。
【請求項２】
上記集積手段では、上記認識手段により折れ紙葉類を集積する集積部が割り当てられていることを特徴とする請求項１に記載の紙葉類処理装置。
【請求項３】
上記認識手段で、折れ紙葉類が認識された場合、その旨の通報を発する通報手段をさらに備えることを特徴とする請求項１又は２に記載の紙葉類処理装置。
【請求項４】
上記通報手段は、上記認識手段で、折れ紙葉類が認識された場合、その旨のメッセージを表示出力することを特徴とする請求項３に記載の紙葉類処理装置。
【請求項５】
上記通報手段は、上記認識手段で、折れ紙葉類が認識された場合、その旨のメッセージとともに、折れ紙葉類を集積した集積部の識別情報を表示出力することを特徴とする請求項４に記載の紙葉類処理装置。
【請求項６】
上記集積手段に、折れ紙葉類が所定枚数集積された場合に、当該紙葉類処理装置の紙葉類の処理動作を停止する停止制御処理を行う処理停止制御手段をさらに備えることを特徴とする請求項１に記載の紙葉類処理装置。
【発明の詳細な説明】
【技術分野】
【０００１】
本発明は紙葉類処理装置に関し、例えば、紙幣を金種別などに分類して計数し、計数した分類紙幣をそれぞれ一時集積部に集積し、一定枚数毎に結束して整理する紙幣結束整理装置に適用し得るものである。
【背景技術】
【０００２】
金融機関の本支店や大型小売店等の１日に多くの紙幣を取り扱う店舗において、紙幣結束整理装置が導入され、精査時等に回収した紙幣を一定枚数毎に束ねて整理することが行われている。また、複数の本支店や小売店から紙幣を回収するセンタにおいて、紙幣結束整理装置が導入され、各店舗から回収した紙幣を一定枚数毎に束ねて整理することが行われている。
【０００３】
従来の紙幣結束整理装置としては、特許文献１の記載技術がある。従来の紙幣結束整理装置において、投入部にセットされた多数枚の紙幣は、１枚ずつ鑑別部に搬送されて、金種や、正券又は損券等の鑑別が実行され、オペレータによる予めの指定に基づいて、複数の一時集積部に分別されて集積される。そして、従来の紙幣結束整理装置では、一次集積部で集積枚数が所定枚数に達すると、その所定枚数の紙幣が紙テープ等の結束材により束ねられて放出される。
【０００４】
なお、以下では、結束された後の紙幣を「紙幣束」と呼び、結束される前の紙幣を「結束対象紙幣」と呼ぶものとする。
【先行技術文献】
【特許文献】
【０００５】
【特許文献１】特開２０１１−１１３１５２号公報
【発明の概要】
【発明が解決しようとする課題】
【０００６】
ところで、従来の紙幣結束整理装置には、紙幣の一部が折れ曲がった状態の紙幣（以下、「折れ券」と呼ぶ）が、結束対象紙幣として投入される場合がある。
【０００７】
従来の紙幣結束整理装置では、折れ券の折れを修正したのち投入する仕様となっており、その旨が取込部の銘版や取扱い説明書で明記されているが、実際には折れを修正せずに投入されることがある。従来の紙幣結束整理装置に折れ券が投入された場合、平面的には折れた部分が欠損したように見えるため、損券等のリジェクト対象の紙幣として取り扱われ、リジェクト用のポケット（以下、「ＲＪポケット」と呼ぶ）に搬送されている。  
しかしながら、折れ券はそれ以外の損券と異なり、折れを修正すれば正券となるものが多いため、従来の紙幣結束整理装置では、紙幣の効率的な利用の阻害となる場合があった。
【０００８】
そのため、紙葉類（例えば、紙幣）の効率的な利用を促すことができる紙葉類処理装置（例えば、紙幣結束整理装置）が望まれている。
【課題を解決するための手段】
【０００９】
本発明の紙葉類処理装置は、（１）紙葉類を集積する複数の集積部を備える集積手段と、（２）少なくとも紙葉類の種類、及び、折れ部分が形成された折れ紙葉類に該当するか否かを認識する認識手段と、（３）上記認識手段により認識処理が行われた紙葉類を、その認識結果に応じた集積部に供給する紙葉類供給手段とを有することを特徴とする。
【発明の効果】
【００１０】
本発明によれば、紙葉類の効率的な利用を促す紙葉類処理装置を提供することができる。
【図面の簡単な説明】
【００１１】
【図１】実施形態に係る紙幣結束整理装置の制御系の構成を示すブロック図である。
【図２】実施形態に係る紙幣結束整理装置の内部構造を示す概略側面図（一方の側板を取り外して見た概略側面図）である。
【図３】実施形態に係る紙幣結束整理装置の上部構造を拡大して示す拡大側面図である。
【図４】実施形態に係る紙幣結束整理装置の外観を示す斜視図である。
【図５】実施形態に係る紙幣結束整理装置における操作部を拡大して示す平面図である。
【図６】実施形態に係る紙幣結束整理装置における集積機構の詳細を示す側面図である。
【図７】実施形態に係る紙幣結束整理装置における紙幣結束機構の詳細を示す側面図である。
【図８】実施形態に係る紙幣結束整理装置で記憶される設定情報の内容例について示した説明図である。
【図９】実施形態に係る紙幣結束整理装置（制御部）が設定情報の入力を受ける場合の動作について示したフローチャートである。
【図１０】実施形態に係る紙幣結束整理装置で表示される設定情報入力画面の内容例について示した説明図である。
【図１１】実施形態に係る紙幣結束整理装置で表示される券種選択画面の内容例について示した説明図である。
【図１２】実施形態に係る紙幣結束整理装置（制御部）が計数及び結束処理を行う場合の動作について示したフローチャートである。
【図１３】実施形態に係る紙幣結束整理装置で表示される計数中表示画面の例について示した説明図（その１）である。
【図１４】実施形態に係る紙幣結束整理装置で表示される計数中表示画面の例について示した説明図（その２）である。
【図１５】実施形態の変形例に係る紙幣結束整理装置で表示される計数中表示画面の例（その３）について示した説明図である。
【図１６】実施形態に係る変形例で紙幣結束整理装置が表示する計数中表示画面の例について示した説明図である。
【図１７】実施形態に係る紙幣結束整理装置で折れ券と認識される紙幣の平面図である。
【発明を実施するための形態】
【００１２】
（Ａ）主たる実施形態
以下、本発明による紙葉類処理装置を、紙幣結束整理装置に適用した一実施形態を、図面を参照しながら説明する。
【００１３】
（Ａ−１）実施形態の構成
図２は、実施形態に係る紙幣結束整理装置の内部構造を示す概略側面図（一方の側板を取り外して見た側面図）である。
【００１４】
図３は、図２における上部構造を拡大して示す拡大側面図である。図４は、この実施形態の紙幣結束整理装置の外観を示す斜視図である。図５は、図４における操作部７を拡大して示す平面図である。図２〜図５だけでなく後述する各図を含め、同一、対応部分には、同一、対応符号を付して示している。
【００１５】
この実施形態に係る紙幣結束整理装置１００の正面上部には、紙幣の投入部１が設けられている。「認識手段」としての鑑別部２は、装置内に設けられており、投入部１から投入された紙幣の真偽（真券、偽券）、金種、正損（正券、損券）、表裏、折れ券（折れ券であるか否か／折れ部分を含むか否か）等の鑑別や計数を行うと共に、搬送異常の検出を行うものである。鑑別された紙幣を搬送する搬送路３の詳細については、後述する。
【００１６】
表裏反転部４は、鑑別部２の後段に位置するように設けられており、後述する制御部５０の制御下で、紙幣の表裏反転を行うものである。
【００１７】
２つのオープンポケット５ａ、５ｂは、装置の上面に設けられており、後述する制御部５０の制御下で、紙幣（例えば、結束対象外の券種の紙幣）がこのオープンポケット５ａ、５ｂへ排出される。オープンポケット５ａ、５ｂに集積された紙幣は、オペレータが直接アクセスできるものとなっている。
【００１８】
リジェクトポケット８は、基本的に、鑑別部２でリジェクト紙幣と鑑別された紙幣を集積することに用いられるものである。この実施形態の場合、後述する制御部５０の制御下で、リジェクト紙幣のうち、上述したオープンポケット５ａ、５ｂや一時集積部６１への排出対象外のリジェクト紙幣がリジェクトポケット８に排出される。リジェクトポケット８は、例えば、投入部１の上方に設けられており、このリジェクトポケット８に集積された紙幣にオペレータが直接アクセスできるものとなっている。なお、リジェクトポケット８は、リジェクト紙幣以外の紙幣を集積することに用いるようにしてもよいことは当然である。
【００１９】
リジェクトポケット８に排出可能な上限数は、あらかじめ設定された設定枚数（例えば、１９０枚）に定められている。これは、リジェクトポケット８から排出されたリジェクト紙幣が所定枚数を超えると、リジェクトポケット８から紙幣がこぼれて装置外に落ちる恐れがあるためである。例えば、リジェクトポケット８に集積された紙幣が設定枚数に達したときには、制御部５０は紙幣の投入を一時停止させ、リジェクトポケット８から紙幣の除去をオペレータに求めるメッセージを表示させるようにしてもよい。
【００２０】
操作部７は、投入部１の一側（図示のものは右側）に設けられている。この操作部７には、紙幣の計数を指示する計数開始ボタン７ａ、計数及び結束処理の完了を指示する完了ボタン７ｂ、装置の障害復旧時に装置を再稼働させるためのリセットボタン７ｃなどが設けられている。
【００２１】
操作表示部１３は、装置上面においてオープンポケット５ａの後方に位置するように設けられている。操作表示部１３は、液晶ディスプレイとその表面に配置されたタッチパネルによって構成されている。オペレータは、この操作表示部１３を操作して、モードの指定や、後述する一時集積部６１に集積する紙幣の金種等を設定できるようになされている。また、この操作表示部１３には、後述する制御部５０の制御下で、鑑別部２で鑑別された紙幣の金種、計数結果等が表示される。
【００２２】
この実施形態の場合、「集積手段」としての集積機構６には、上下方向に１列に５つの一時集積部６１（６１ａ〜６１ｅ）が並べられて装置内に設けられている。各一時集積部６１ａ〜６１ｅにはそれぞれ、後述する制御部５０の制御下で、予め定められた枚数（例えば１００枚）を上限とした指定種類の紙幣が集積できるようになっている。なお、一時集積部の数は５つに限定されるものではない。
【００２３】
移送機構９は、一時集積部６１ａ〜６１ｅの集積紙幣を紙幣結束機構１０に移送するものである。紙幣結束機構１０は、移送されてきた集積紙幣を紙テープ等の結束材により束ねるものである。移送機構９及び紙幣結束機構１０は、両者とも装置内に設けられている。移送機構９及び紙幣結束機構１０の詳細については後述する。放出口１１は、紙幣結束機構１０の結束により形成された紙幣束を放出させる開口である。放出口１１の上部の装置正面に設けられた扉１２は、開けることで、オペレータが集積機構６にアクセスできるものとなっている。
【００２４】
次に、搬送路３について詳述する。搬送路３は、ローラや搬送ベルトや通過を検知するセンサ、駆動モータ等からなっているが、以下では、紙幣の経路という面から搬送路３を説明する。搬送路３は、図３に示すように、大きくは５つの部分（以下、部分に対しても搬送路と呼ぶこととする）３ａ〜３ｅに分かれている。
【００２５】
搬送路３ａは、投入部１から鑑別部２を経て分岐点Ａに至る部分である。従って、投入された全ての紙幣が、搬送路３ａ上を搬送される。
【００２６】
搬送路３ｂは、分岐点Ａからリジェクトポケット８に至る部分である。従って、鑑別結果が、リジェクトポケット８に集積させるリジェクト紙幣が、搬送路３ｂ上を搬送される。
【００２７】
搬送路３ｃは、分岐点Ａから分岐点Ｂに至る部分であり、その途中に表裏反転部４が設けられており、搬送路３ｃは、表裏反転部４を通過しないように紙幣を搬送することもできる。表裏反転部４は溝状のものであり、搬送されてきた紙片は、表裏反転部４に一端から挿入され、他端から引き出されることを通じて表裏が反転される。投入された紙幣のうち、リジェクトポケット８に向かった紙幣以外の紙幣が、搬送路３ｃ上を搬送される。搬送路３ｃ上に導入された紙幣のうち、表裏反転が必要と鑑別されたものは、表裏反転部４を経由する。
【００２８】
搬送路３ｄは、分岐点Ｂから、最下段の一時集積部６１ｅに至る部分である（図２、図３参照）。鑑別部２によって、集積、結束対象と鑑別された紙幣が、搬送路３ｄ上を搬送され、その紙幣が集積されるべき一時集積部６１ａ〜６１ｅに挿入される。
【００２９】
搬送路３ｅは、分岐点Ｂから分岐点Ｃに至る部分である。そして、搬送路３ｆは、分岐点Ｃからオープンポケット５ａに至る部分である。また、搬送路３ｇは、分岐点Ｃからオープンポケット５ｂに至る部分である。
【００３０】
以上のように、紙幣結束整理装置１００では、搬送路３及び鑑別部２等により、オペレータから投入された紙幣を、集積機構６（一時集積部６１ａ〜６１ｅ）に供給する「紙葉類供給手段」が形成されている。
【００３１】
なお、搬送路３上の分岐点Ａ、Ｂ、Ｃのそれぞれの近傍には、紙幣の搬送方向を切替える図示しない切替えブレードが設けられ、後述する制御部５０の制御下で切り替えられる。
【００３２】
図６は、集積機構６の構成を図２より詳細に示す側面図である。集積機構６には、上述のように、５つの一時集積部６１ａ〜６１ｅが上下方向に並べて配置されている。これらの一時集積部６１ａ〜６１ｅは、同一の構造を有しているので、以下では、一時集積部６１ａを例にとって詳細を説明する。
【００３３】
搬送路３ｄにより搬送されてきた紙幣は、一時集積部６１ａの振り分けゲート２７により集積板２１に向かって取り込まれ、これにより一時集積部６１ａに進入した紙幣は羽根車２０により後部が叩かれて集積板２１の上に集積されるようになされている。以降進入してくる紙幣に関しても、同様の動作で集積板２１上に集積した紙幣の上に集積される。
【００３４】
一時集積部６１ａに進入した紙幣は、一時集積部６１ａの一側（例えば、図６紙面法線方向の手前側）に設けられた図示しない長手整位手段により、紙幣の長手方向の位置が揃えられ、更に一時集積部６１ａの後端側に設けられた図示しない短手整位手段により短手方向の位置が揃えられる。上述の長手整位機構は、紙幣を反対側に設置された基準面に押しつけることで整位するものとなっている。また、上述の短手整位機構は、集積された紙幣を進入口側に付勢することにより整位するものとなっている。
【００３５】
集積板２１上に紙幣が集積して行き、その集積数（後述するカウンタ５１ａ〜５１ｅの値）が設定枚数を越えると、集積板２１は自動的に下降して一時集積部６１ａの空間を広げ、この動作により皺や折り目等に起因する紙幣の状態によって集積高さが違っても安定して集積が行えるようになっている。集積板２１の上方には押さえ板２４が対向するように設けられ、この押さえ板２４は集積板２１上への紙幣の集積中は一時集積部６１ａの上端に待機しており、順次取り込まれる紙幣の進入の邪魔にならないようになっている。
【００３６】
一時集積部６１ａの集積板２１上に設定枚数の紙幣が集積されると、ゲート振り分け機構２７を紙幣を取り込まない姿勢に動作させ、所定枚数目以降の紙幣は、例えば、他の一時集積部６１ｂ〜６１ｅのいずれかへ集積するように制御される。
【００３７】
紙幣の進入が停止した一時集積部６１ａでは集積板２１を上昇させ、押さえ板２４を下降させることにより紙幣を挟持する。この動作により皺等の紙幣の状態によって集積高さの異なる紙幣の厚みを一定にし、移送機構９への受渡しを容易にするようになっている。集積板２１と押さえ板２４により挟持された紙幣は、移送機構９の紙幣クランプ部３０（図２参照）が短手整位機構２３側から一時集積部６１ａに進入して引き抜かれるようになっている。
【００３８】
「束搬送手段」としての移送機構９は、図２に示すように、紙幣クランプ部３０、クランプ部移動機構３１、上下動機構３２を備えている。移送機構９の構成を、動きを通して明らかにする。
【００３９】
一時集積部６１ａに集積された紙幣を引き抜く場合を例に、移送機構９の一連の動きを説明する。上下動機構３２により紙幣クランプ部３０をクランプ部移動機構３１と共に、一時集積部６１ａに係るポジションセンサの位置まで上昇させ、ポジションセンサがクランプ部移動機構３１を検知した位置で上昇を停止させると同時に、図示しない係止手段によりクランプ部移動機構３１を係止し、クランプ部移動機構３１を一時集積部６１ａと対応する位置に固定する。この状態でクランプ移動機構３１により紙幣クランプ部３０のクランプ爪３３ａ、３３ｂを上下方向に開いて集積紙幣をクランプする準備を行い、更にクランプ移動機構３１により紙幣クランプ部３０を一時集積部６１ａの方向に押し出す。押し出された紙幣クランプ機構３０のクランプ爪３３ａ、３３ｂは、一時集積部６１ａの短手整位機構２３側に設けられている開口部に挿入され、集積板２１と押さえ板２４により挟持されている紙幣を上下から挟みつけて把持する。次に、集積板２１と押さえ板２４を開くことで、両者による紙幣の挟持を解除すると、これにより１００枚の紙幣が紙幣クランプ部３０に渡されたことになるので、クランプ爪３３ａ、３３ｂで紙幣を把持した紙幣クランプ部３０をクランプ部移動機構３１により引き戻す。紙幣クランプ部３０が元の位置まで引き戻されると、クランプ部移動機構３１の係止が解除され、紙幣を把持した紙幣クランプ部３０と共にクランプ移動機構３１が上下動機構３２により移動経路の最下端に位置する紙幣結束機構１０まで移動し、紙幣クランプ部３０のクランプ爪３３ａ、３３ｂに把持された紙幣が紙幣結束機構１０に引き渡される。
【００４０】
紙幣結束機構１０は、図７の側面図に示すように、ローラ及びベルト等からなる搬送手段４０と、紙テープ等の結束用テープ４１と、印刷手段４２と、テープ４１を供給する供給手段４３と、テープ４１を所定の長さに切断するカッタ４４と、図示しない結束手段を有し、以下のように紙幣を結束する。
【００４１】
搬送手段４０が移送機構９の紙幣クランプ部３０から結束対象の紙幣を一括して受け取り、結束位置に搬送する。テープ供給手段４３は、テープ４１を結束手段に供給し、その際、印刷手段４２は、制御部５０の制御下で、テープ４１に結束する紙幣に係る情報等を印刷する。印刷されたテープ４１は、所定の長さにカッタ４４で切断され、この切断されたテープを結束手段が結束位置に搬送された紙幣に巻き掛けて結束することにより紙幣束を作る。このようにして作られた紙幣束は、更に搬送手段４０により搬送され、放出口１１に送られる。
【００４２】
投入部１にセットされた紙幣が全て投入され、最後の紙幣に対する処理（計数、集積）が終了したときに、一時集積部６１ａ〜６１ｅに結束されていない紙幣が残っていることが多い。このような残った端数の枚数については、上述した扉１２を開けることにより、オペレータが取り出し可能となっている。
【００４３】
次に、この実施形態に係る紙幣結束整理装置１００の制御系の構成について図１を用いて説明する。
【００４４】
図１において、制御部５０は、当該紙幣結束整理装置１００全体の動作制御を行うものである。制御部５０には、Ｉ／Ｏインタフェース回路５１を介して、投入部１の構成要素（モータ、ソレノイドなどの駆動要素や、センサ要素など；図１では「構成要素」の用語を省略している；以下の説明においても「構成要素」の用語を省略する）、鑑別部２、搬送路３、表裏反転部４、集積機構６、操作部７、移送機構９、紙幣結束機構１０、操作表示部１３、カウンタ５１ａ〜５１ｅなどが接続されている。
【００４５】
カウンタ５１ａ〜５１ｅはそれぞれ、一時集積部６１ａ〜６１ｅに１対１で対応しており、例えば、対応する一時集積部６１ａ〜６１ｅの所定位置に設けられているセンサが進入紙幣を検知する毎にカウントアップするものである。ここでは、カウンタ５１ａ〜５１ｅとしてハードウェアのカウンタを適用しているが、制御部５０がメモリ部５１を利用するソフトウェア的なカウンタを適用しても良い。
【００４６】
次に、制御部５０の内部構成について説明する。
【００４７】
制御部５０は、図１に示すように、制御処理等に必要な各種情報を記憶するための記憶部５２有している。制御部５０は、例えば、プロセッサとメモリを有するコンピュータ（例えば、マイクロコンピュータ）に、実施形態の紙葉類処理プログラムをインストールすることにより構築することができ、その場合でも機能的には図１のように示すことができる。
【００４８】
図１に示すように、記憶部５２は、少なくとも設定情報５２１を記憶している。
【００４９】
まず、設定情報５２１の内容について図８を用いて説明する。
【００５０】
図８に示すように、設定情報５２１は、紙幣の種類（金種及び券種の組みあわせ）ごとの集積先（一時集積部６１ａ〜６１ｅ、オープンポケット５ａ、５ｂのいずれか）を示す情報である。図８に示すように、設定情報５２１では、紙幣の種類は、金種及び券種の組み合わせに応じて決定している。
【００５１】
図８において、金種とは、紙幣の額面に応じて決まるものとしている。なお、この実施形態では、紙幣結束整理装置１００は、中華人民共和国（人民元）の６金種の紙幣（１００元紙幣、５０元紙幣、２０元紙幣、１０元紙幣、５元紙幣、１元紙幣）について処理が可能であるものとする。また、図８において、券種とは、紙幣の属性を示すものとする。具体的には、紙幣の券種は、紙幣の真偽、紙幣の傷みの度合い等の項目に基づいて定められるものとする。この実施形態の鑑別部２では、紙幣の傷みの度合いに応じて、ＡＴＭ券、流通券、損券の３段階にランク分けされるものとする。ＡＴＭ券は、官封券の状態から使用頻度が少ない状態の紙幣であるものとする。また、流通券は、ＡＴＭに用いるには適さないが紙幣発行銀行に返却するほどは傷んでいない状態の紙幣であるものとする。さらにまた、損券は、紙幣の傷みが激しく紙幣発行銀行に返却することが好ましい状態の紙幣であるものとする。
【００５２】
そして、この実施形態の設定情報５２１では、券種の項目に設定する内容としては、「無し」（紙幣の券種を限定しない）、「ＡＴＭ券」、「流通券」、「損券」、「ＡＴＭ＋流通」（ＡＴＭ券及び流通券）、「流通＋損」（流通券及び損券）、「真偽ＲＪ」（偽券としてリジェクトすべき紙幣）、「折れ券」のいずれかが設定されるものとして説明する。なお、設定情報５２１の券種の項目に設定する情報の種類、数、条件の組み合わせについては上述の例に限定されないものである。
【００５３】
ただし、この実施形態の紙幣結束整理装置１００は、ＡＴＭ券、又は流通券のいずれかに該当するものとして認識される紙幣でも、折れ券に該当する場合には、当該紙幣の券種は、「折れ券」として取り扱うものとする。また、この実施形態の紙幣結束整理装置１００は、折れ券に該当する紙幣であっても、真偽ＲＪ券又は損券に該当する場合には、当該紙幣の券種は「真偽ＲＪ券」又は「損券」として取り扱うものとする。すなわち、この実施形態の紙幣結束整理装置１００では、折れを直せばＡＴＭ券、又は流通券のいずれかに該当するものを「折れ券」として取り扱うものとする。言い換えると、この実施形態の紙幣結束整理装置１００では、折れ部分が形成されているが、折れを直せば、欠損部分が無い真券（損券に該当しない真券）として取扱い可能な紙幣を「折れ券」（折れ紙葉類）として取り扱うものとする。
【００５４】
ここで、折れ券について説明する。折れ券とは、例えば、図１７に示すように、一部に折れ曲がった部分（折れ部分）が形成された状態の紙幣である。図１７に示す紙幣Ｍは、折れ部分Ｍ１が形成され、領域Ａ１で紙が折り重なった状態となっている。折れ券Ｍは、折れにより、平面的には領域Ａ２の部分が欠損しているように見えるため、通常の紙幣鑑別処理では、損券と認識される。しかし、この実施形態の鑑別部２では、単に折れているだけの折れ券であるのか、欠損部分のある損券であるのかを認識可能であるものとして説明する。鑑別部２が、折れ部分と欠損部分を区別する方式については限定されないものであり種々の方式を適用することができる。鑑別部２は、例えば、平面的には欠損して見える領域（例えば、図１７の領域Ａ２）のある紙幣について、折り重なっている領域（例えば、図１７の領域Ａ１）の検出を試み、２つの領域が線対称の相似形である場合にのみ、当該部分を折れ部分と認識するようにしてもよい。鑑別部２は、例えば、領域ごとの厚さや、領域ごとの光の透過度合いに基づいて、紙幣の折り重なっている領域を検出することができる。
【００５５】
図８に示すように、設定情報５２１では、各集積先は、集積先ごとに付与されたＩＤ（以下、「集積先ＩＤ」と呼ぶ）により表されている。集積先ＩＤは、一時集積部６１ａ〜６１ｅ、オープンポケット５ａ、５ｂに対して１〜７のＩＤが付与されている。例えば、一時集積部６１ａの集積先ＩＤは１、オープンポケット５ａの集積先ＩＤは６、オープンポケット５ｂの集積先ＩＤは７となる。そして、制御部５０は、鑑別部２により鑑別された紙幣について、設定情報５２１に応じた集積先へ集積されるように、搬送路３等を制御する。
【００５６】
この実施形態においては、例として、設定情報５２１に、図８に示す内容が設定されているものとする。図８に示す設定情報５２１では、金種が１００元紙幣で券種が「ＡＴＭ＋流通」の紙幣の集積先が一時集積部６１ｅ（集積先ＩＤ：５）、金種が１００元紙幣で券種が「折れ券」の紙幣の集積先がオープンポケット５ａ（集積先ＩＤ：６）、券種が「真偽ＲＪ」の紙幣の集積先がオープンポケット５ｂ（集積先ＩＤ：７）にそれぞれ設定されている。
【００５７】
（Ａ−２）実施形態の動作
次に、以上のような構成を有するこの実施形態の紙幣結束整理装置１００の動作について説明する。
【００５８】
（Ａ−２−１）設定情報の入力処理
図９は、オペレータから設定情報５２１の内容を受け付ける際に、制御部５０が行う処理について示したフローチャートである。
【００５９】
まず、オペレータの操作表示部１３に対する操作（例えば、メニュー画面等の操作）に応じて、制御部５０が、オペレータから設定情報５２１の内容を受けるための設定情報入力画面（図１０参照）を操作表示部１３に表示したものとする（Ｓ１０１）。
【００６０】
次に、オペレータから、情報入力を受け付ける対象となる集積先が選択されたものとする（Ｓ１０２）。具体的には、図１０に示す設定情報入力画面では、オープンポケット５ａを選択するためのボタンＢ１１、オープンポケット５ｂを選択するためのボタンＢ１２、一時集積部６１ａ〜６１ｅのいずれかを選択するためのボタンＢ１３が配置されており、いずれかのボタンの押下により、集積先が選択される構成となっている。ここでは、オペレータにより、オープンポケット５ａを選択するためのボタンＢ１１が押下されたものとして以降の説明を行う。
【００６１】
そして、集積先（オープンポケット５ａ）が選択されると、制御部５０は、設定情報入力画面において、金種を指定するためのボタンＢ１４と、券種を指定するためのボタンＢ１５の操作を受け付ける。ここでは、図１０に示すように、オープンポケット５ａ（ＯＰ１）に対応する金種については、すでに「１００元紙幣」が設定されているものとする。そして、ここでは、オペレータにより、券種を指定するためのボタンＢ１５が押下されたものとする（Ｓ１０３）。
【００６２】
図１０に示す設定情報入力画面で、券種を指定するためのボタンＢ１５が押下されると、制御部５０は、オペレータに券種を選択させるための券種選択画面（図１１参照）をポップアップ表示する（Ｓ１０４）。
【００６３】
図１１に示す券種選択画面では、各券種に対応するボタンＢ２０１〜Ｂ２０８が配置されている。ここでは、オペレータにより、「折れ券」を指定するためのボタンＢ２０８が押下された後、確認ボタンＢ２０９が押下されたものとする（Ｓ１０５）。
【００６４】
そして、制御部５０は、券種選択画面での入力内容に応じて、設定情報５２１の内容を更新する（Ｓ１０６）。
【００６５】
以上のような処理により、紙幣結束整理装置１００では、設定情報５２１の登録を受け付け、その内容は上述の図８のような内容となったものとする。
【００６６】
なお、この実施形態の紙幣結束整理装置１００において、設定情報５２１の内容の登録を受け付ける具体的な処理（画面構成等）については限定されないものであり、種々のインタフェースを適用することができる。
【００６７】
（Ａ−２−２）計数及び結束処理
図１２は、紙幣結束整理装置１００において、計数及び結束処理が行われる場合の動作について示したフローチャートである。
【００６８】
操作部７の計数開始ボタン７ａがオペレータによって押下されると（Ｓ２０１）、制御部５０は、計数及び結束処理を開始し、まず、各部の初期設定を行う（Ｓ２０２）。
【００６９】
制御部５０は、初期設定を完了すると、投入口１にセットされた紙幣について、計数及び結束処理の動作を開始する（Ｓ２０３）。なお、紙幣結束整理装置１００が計数処理中に、オペレータにより、投入口１に紙幣が追加されることもあり得る。
【００７０】
また、制御部５０は、計数処理を開始する際に、図１３に示す形式で、計数中の状況を表示するための計数中表示画面を表示する。
【００７１】
なお、図１３に示す計数中表示画面は、図８に示す設定情報５２１に従った内容となっている。
【００７２】
計数中表示画面では、図１３に示すようにフィールドＦ２２に、テーブル形式で、一時集積部６１ごとに、現在集積中の金種（図１３の「施封」の項目）、現在集積している枚数（図１３の「端数枚数」の項目）、及び現在集積中の金種について結束（施封）した紙幣束の数（図１３の「把束数」の項目）が表示される。なお、図１３の「施封」の項目の１〜５の番号は、集積部ＩＤとなっている。したがって、図１３の例では、図８に示す設定情報５２１に従って、施封の項目で「５：１００元紙幣」となっているため、一時集積部６１ｅ（一時集積部ＩＤ：５）に１００元紙幣が割り当てられていることを示している。また、図１３の例では、１００元紙幣について、現在５８枚集積されており（「端数枚数」の項目が「５８」）、既に１束の結束（施封）が行われた（「把束数」の項目が「１」）ことを示している。
【００７３】
また、計数中表示画面では、図１３に示すようにフィールドＦ２１に、テーブル形式で、オープンポケット５ａ、５ｂごとに、現在集積中の券種（図１３の「ポケット」の項目）、現在枚数（現在集積されている枚数）と設定枚数（各ポケットに集積する上限の枚数）が入力されている。なお、フィールドＦ２１の「ポケット」の項目において「１」は第１のオープンポケット５ａ、「２」は第２のオープンポケット５ｂ、「ＲＪ」はリジェクトポケット８をあらわしている。この実施形態の紙幣結束整理装置１００では、図８に示す設定情報５２１に従って、第１のオープンポケット５ａに券種が「折れ券」の紙幣を集積するように設定されている。なお、折れ券の集積場所は、オペレータの操作に応じた任意の集積場所（一時集積部６１（６１ａ〜６１ｅ、オープンポケット５ａ、５ｂ、リジェクトポケット８）としてもよいが、オープンポケット５ａ、５ｂを適用することで、折れ券の折れを直してすぐに再投入することができ、利便性が高くなる。
【００７４】
また、紙幣結束整理装置１００では、図８に示す設定情報５２１に従って、第２のオープンポケット５ｂに、券種が「真偽ＲＪ」（真偽不明または偽券と判断した紙幣）のものを集積するように設定されている。
【００７５】
なお、紙幣結束整理装置１００では、リジェクトポケット８に、券種が損券の紙幣を集積するように設定されているものとする。
【００７６】
そして、制御部５０は、投入口１にセットされた紙幣を１枚取り込んで鑑別部２に鑑別処理を実行させる（Ｓ２０４）。
【００７７】
そして、制御部５０は、鑑別部２から、紙幣ごとに金種及び券種の報告を受け、鑑別した紙幣の券種が折れ券であるか否かを確認する（Ｓ２０５）。制御部５０は、鑑別した紙幣の券種が折れ券である場合は後述するステップＳ２０６から動作し、そうでない場合には後述するステップＳ２０７から動作する。
【００７８】
上述のステップＳ２０５で、鑑別した紙幣の券種が折れ券である場合は、制御部５０は、折れ券が発生した旨をオペレータに通報する処理を行う（Ｓ２０６）。すなわち、この実施形態では、制御部５０及び操作表示部１３は、折れ券が検出された旨を通報する通報手段として機能している。
【００７９】
制御部５０が、折れ券発生の旨をオペレータに通報する処理の内容については限定されないものであるが、例えば、図１４に示すように、計数中表示画面のフィールドＦ２３に、「折れ券発生」というメッセージを表示するようにしてもよい。また、制御部５０は、折れ券が発生した場合、図１５に示すように、計数中表示画面のフィールドＦ２３に、「折れ券発生」というメッセージと共に、折れ券が集積されている場所の名称（識別情報）を通知するメッセージ（図１４では、「オープンポケット１に集積されています」というメッセージ）を表示するようにしてもよい。フィールドＦ２３の表示は、目立つように赤色等の文字とすることが望ましい。また、折れ券が発生した旨をオペレータに通報する方法としては、そのほかにも図示しないスピーカによる音声出力や、図示しない回転灯の点灯等により行うようにしてもよい。
【００８０】
そして、制御部２０５は、上述のステップＳ２０４で鑑別された紙幣について、対応する集積先に搬送するように制御を行う（Ｓ２０７）。なお、紙幣結束整理装置１００では、各一時集積部６１ａ〜６１ｅに集積された紙幣が設定枚数に達すると、その紙幣の束が紙幣結束機構１０により結束処理されるが、図１２のフローチャートでは、結束処理に係る動作については省略して図示している。
【００８１】
そして、制御部２０５は、投入部１に投入された紙幣が残っているか否かを確認し（Ｓ２０８）、残っている場合は上述のステップＳ２０４の処理から動作し、残っていない場合（投入紙幣が終了している場合）は、計数及び結束処理を停止する（Ｓ２０９）。
【００８２】
以上のように、紙幣結束整理装置１００では計測及び結束処理が行われる。
【００８３】
（Ａ−３）実施形態の効果
この実施形態によれば、以下のような効果を奏することができる。
【００８４】
この実施形態の紙幣結束整理装置１００では、折れ券を検出した場合に、その旨のメッセージ等を計数中表示画面に表示して通報している。これにより、オペレータは折れ券を検出したタイミングを知ることができ、利便性が向上する。特に、投入口１に紙幣を継ぎ足しながら計数及び結束処理を行う場合（紙幣補給のために処理を止めない運用の場合）でも、折れ券が検出されるタイミングを、オペレータが認識することができるため有効である。これにより、オペレータは、オープンポケット５ａに集積された折れ券の折れを直して、投入部１に再投入することができる。これにより、折れ券について損券と共に銀行に持ち込まれて廃棄されること等がなくなり、紙幣を、より効率的に利用することが可能となる。
【００８５】
（Ｂ）他の実施形態
本発明は、上記の実施形態に限定されるものではなく、以下に例示するような変形実施形態も挙げることができる。
【００８６】
（Ｂ）他の実施形態
本発明は、上記の実施形態に限定されるものではなく、以下に例示するような変形実施形態も挙げることができる。
【００８７】
（Ｂ−１）上記の実施形態では紙幣結束整理装置に本発明を適用したものを示したが、本発明の適用装置は、紙幣結束整理装置に限定されない。要は、投入紙幣の鑑別を行い、鑑別の結果によっては、適宜、本来の搬送路から分離して排出口に排出させる装置であれば、本発明を適用することができる。このような条件を満たすならば、自動取引装置（ＡＴＭ）等の現金処理装置にも、本発明の技術思想を適用することができる。
【００８８】
また、上記の実施形態では、紙幣を扱う紙幣結束整理装置に本発明を適用したものを示したが、本発明が適用し得る紙葉類は、紙幣に限らず、小切手、商品券などの他の紙葉類であっても良い。
【００８９】
（Ｂ−２）上記の各実施形態では、紙幣結束整理装置は計数及び結束処理中に折れ券を検出しても、処理を継続するものとして説明したが、一時停止して、オペレータの操作により処理を再開する構成としてもよい。例えば、折れ券を任意の設定枚数（例えば、３枚）検出した場合、紙幣結束整理装置を自動で一時停止して、オペレータの操作により処理を再開する。この場合、例えば、計数表示中画面のフィールドＦ２３に、折れ券を検出したために処理を停止した旨を表示して、処理を停止するようにしても良い（図１６参照）。
【００９０】
（Ｂ−３）上記の実施形態では、折れ券が発生した場合に、その旨の通報（メッセージ表示等）を行う構成となっているが、通報を行う構成については省略するようにしてもよい。
【符号の説明】
【００９１】
１００…紙幣結束整理装置、１…投入部、２…鑑別部、３…搬送路、４…表裏反転部、５０…制御部、５１…Ｉ／Ｏインタフェース回路、５１ａ〜５１ｅ…カウンタ、５２…記憶部、５２１…設定情報、６…集積機構、６１、６１ａ〜６１ｅ…一時集積部、７…操作部、８…リジェクトポケット、９…移送機構、１０…紙幣結束機構、１１…放出口、１３…操作表示部。
【図１】
2014215623.tif 000003
【図２】
2014215623.tif 000004
【図３】
2014215623.tif 000005
【図４】
2014215623.tif 000006
【図５】
2014215623.tif 000007
【図６】
2014215623.tif 000008
【図７】
2014215623.tif 000009
【図８】
2014215623.tif 000010
【図９】
2014215623.tif 000011
【図１０】
2014215623.tif 000012
【図１１】
2014215623.tif 000013
【図１２】
2014215623.tif 000014
【図１３】
2014215623.tif 000015
【図１４】
2014215623.tif 000016
【図１５】
2014215623.tif 000017
【図１６】
2014215623.tif 000018
【図１７】
2014215623.tif 000019